(57)【特許請求の範囲】
【請求項１】
農作業機本体に固設されて上下方向に延びる支持フレーム（７）と；この支持フレーム（７）の上部横方向に突出させた所望長さの工具係着部材（８）と；折り曲げた一連の鋼線材の左右自由端（１２）、（１２）を前記工具係着部材（８）の基端側左右両側に設けた左右枢支部（１３）、（１３）に回動可能に枢支し、各枢支部（１３）、（１３）から下方に延び、工具係着部材（８）に係着される工具収容部（１１）の左右両側に対向するガイド部（１４）を介してさらに上方へ延びその先端の折り曲げ連結部を前記工具係着部材（８）の先端に係止される逆V字型係合部（１５）に形成してなる回動バネフックと、を有することを特徴とする農作業機の工具類ハンガー機構
【請求項２】
前記工具係着部材（８）に枢支される前記回動バネフック（９）の左右自由端（１２ａ）、（１２ｂ）を、該工具係着部材（８）の軸方向へ回動中心位置をずらせて設けた枢支部（１３ａ）、（１３ｂ）に枢着したことをさらに特徴とする請求項１記載の農作業機の工具類ハンガー機構
【請求項３】
支持フレーム（７）のプレート（７´）に予備の部品を着脱可能に係着する部品係着部（１６）を併設したことをさらに特徴とする請求項１又は２記載の農作業機の工具類ハンガー機構
【発明の詳細な説明】
【技術分野】
【０００１】
この発明は、トラクタに牽引されるカルチベータなどの農作業機に取付けて使用される工具類ハンガーの改良に関し、特に、係着保持した工具類の脱落防止、揺れ止め機能等を備えた工具類ハンガー機構に関する。
【背景技術】
【０００２】
カルチベータなどの農作業機はトラクタ等に牽引される横長の牽引バーに沿って各種アタッチメントを連結し、走行しながら除草、溝切りなどの所定の作業を行うものである。
この種の農作業機は圃場の状態によりアタッチメントの作業幅や作業深さを頻繁に調整する必要があり、そのための調整器具、部品などの工具類を備えておく必要である。
【先行技術文献】
【特許文献】
【０００３】
【特許文献１】特開２０１２−１２０４４２号公報
【発明の概要】
【発明が解決しようとする課題】
【０００４】
一般にこの種の工具類は作業機の調整箇所から離れたトラクタ運転室などの工具ボックス内に保管されていることが多い。
特許文献１は作業機内に工具箱を設ける技術を開示しているが、工具箱は収納した工具類を外部から可視できず、また、工具類を取り出す際の開閉作業が煩雑なため素早く調整作業に着手することができない。さらに、螺合孔を用いる用具予備手段は螺合部を有するシャ―ボルト等の用具しか保管できない。
他方、作業機本体のブラケットに設けた保管部材に工具を懸架・係着し、先端をβピンで止める方式も提案されているが、この構造では振動等でβピンが抜け易いだけでなく、工具を保管部に脱着する際のピンの抜き差しが面倒であり、また、抜き取ったピンを紛失してしまう可能性もある。
さらに、圃場の農作業機は作業中に激しく振動するので懸架・保持した工具類が横揺れでぶつかり合い、メッキ剥げや変形などの損傷が生ずるといった不都合がある。
【０００５】
したがって、本発明の主たる目的は、作業機近傍の狭いスペースに工具類を簡単な機構・操作で保管することにより、作業機アタッチメントの調整や交換を迅速に行うことができるとともに、横揺れによる工具類の衝突を抑制できる工具類ハンガー機構を提供することにある。
【０００６】
本発明の他の目的は回動バネフックを上方へ回動させた時に、バネフックが所定の回動死点位置に保持されるようにした上記工具類ハンガー機構を提供することにある。
【０００７】
本発明のさらに他の目的は、工具類係着部材を坦持する支持フレームに予備の部品を着脱可能に保持させることができる上記工具類ハンガー機構を提供することにある。
【課題を解決するための手段】
【０００８】
上記の主たる目的を達成するために、本発明の農作業機用工具類ハンガー機構は、農作業機本体に固設されて上下方向に延びる支持フレームと、この支持フレームの上部横方向に突出させた所望長さの工具係着部材と、折り曲げた一連の鋼線材の左右自由端を前記工具係着部材の基端側左右両側に設けた左右枢支部に回動可能に枢支し、各枢支部から下方に延び、工具係着部材に係着される工具収容部の左右両側に対向するガイド部を介してさらに上方へ延びその先端の折り曲げ連結部を前記工具係着部材の先端に係合される逆V字型係合部に形成してなる回動バネフックと、を有することを特徴とする。
【０００９】
上記第２の目的を達成するために、好ましくは、前記工具係着部材に枢支される前記回動バネフックの左右自由端を、該工具係着部材の軸方向へ回動中心位置をずらせて設けた枢支部に枢着する。
【００１０】
上記第３の目的を達成するために、好ましくは、支持フレームのプレートに予備の部品を着脱可能に係着する部品係着部を併設する。
【発明の効果】
【００１１】
作業機本体に固設した支持フレームに工具類を保持する係着部材設け、調節箇所近傍の限られたスペースに必要な工具類を着脱可能に保持できるようにしたので、農作業機のアタッチメント等の素早い調節・修理が可能になる。
また、回動バネフックは、折り曲げた一連の鋼線材の左右自由端を前記工具係着部材の基端側左右両側に回動可能に枢支し、工具収容部の左右両側に対向するガイド部と工具係着部材の先端に係止される係止部を有するので、前記ガイド部で工具類の横揺れが規制されるとともに、バネフックの横揺れ規制位置と開放位置をワンタッチで操作することができる。
【００１２】
工具係着部材に枢支される前記回動バネフックの左右自由端を、前記工具係着部材の軸方向へ回動中心位置をずらせて枢支することにより、上方へ回動させたバネフックは両端枢支位置の違いによる干渉で開放死点位置に安定保持される。
【００１３】
支持フレームのプレートに予備部品を着脱可能に係着する保持孔を併設したことにより、予備の安全ボルト等を素早く調達できる。
【図面の簡単な説明】
【００１４】
【図１】本発明の工具類ハンガー機構を備えたカルチベータ全体斜視図
【図２】本発明による工具類ハンガー機構の斜視図
【図３】回動バネフックの斜視図
【図４】回動バネフックの作用説明図
【図５】工具類ハンガー機構の使用説明図
【図６】工具類ハンガー機構の使用説明図
【図７】工具類ハンガー機構の使用説明図
【発明を実施するための形態】
【００１５】
以下、本発明の好ましい実施例を添付図面に基づいて説明する。
図１は本発明が使用される農作業機の一例であり、トラクタ（図は省略）などに牽引される横長のバー１に並列配置した複数の中骨ビーム２の各々に培土器３、深耕機４などのアタッチメントを取付けたカルチベータ５を示している。
図１の実施例では前記作業機の中骨ビーム２本体側面に本発明の工具類ハンガー６を固設してある。
【００１６】
工具類ハンガー６は、農作業機本体に固設した支持フレーム７と、この支持フレーム７の上部横方向に突設した工具係着部材８と、この工具係着部材８の基部に回動可能に係着した回動バネフック９を備えている。
【００１７】
支持フレーム７はその下部を農作業機の中骨ビーム２にボルト等で固定して上方へ延びるプレートからなり、その上部に前記工具係着部材８が横方向（好ましくは水平）に向けて固設されている。
工具係着部材８は作業機の調整に必要なレンチ、スパナなどの関連工具類１０を係着・保持させておくのに必要な強度を有する支持部材であり、前記支持フレーム７に固設した基部の先端側に向けて所定長さの工具収容部１１を有している。
【００１８】
前記回動バネフック９は所定の剛性・強度・曲げ加工性等を有する金属その他の一連の線状材質からなり、一連の鋼線材の折り曲げによって形成される左右自由端１２ａ、１２ｂを前記工具係着部材８の基端側に設けた左右基端枢支部１３ａ、１３ｂに回動可能に枢着するとともに、この基端枢支部１３ａ、１３ｂから下方へ延び、工具係着部材８の下方を横切るガイド部１４を介してさらに工具係着部材８の先端側上方へ延び、その先端の折り曲げ結合部を前記工具係着部材８の先端に係止される逆V字型の係合部１５に形成した一連の部材で構成されている。
かくして、回動バネフック９は、前記逆V字型係合部１５を工具係着部材８の先端に係止させた位置から基端枢支部１３ａ、１３ｂを支点にして上方の開放位置へ可逆的に回動させることができる構造になっている。
【００１９】
図４に示すように、回動バネフック９は、前記左右自由端１２ａ、１２ｂを工具係着部材８の軸線に沿って位置を若干ずらせた基端枢支部１３ａ、１３ｂに枢支するのが好ましい。こうすることにより、図４のように回動バネフック９を上方開放位置に回動させた時に、回動支点位置の違いにより左右自由端１２ａ、１２ｂの回動が干渉され、回動バネフック９は回動死点位置に安定保持される。
【００２０】
図の実施例では、より好ましい実施形態として、支持フレーム７のプレート７´に部品係着部１６を形成し、ボルト、ナット等の予備部品１７を着脱可能に保持させ、作業機の点検・調整の際に必要な交換部品をその場で調達できるようにしてある。
【００２１】
工具係着部材８に係着した関連工具１０が縦揺れ（前記横揺れに対する）で支持フレーム７と下降した回動バネフック９の下向き線材の間に押し入ると工具の係着部テコ作用で回動バネフック９の自由端１２が枢支部１３から抜けてしまうおそれがある。これを防止するために支持フレーム７の縁辺に関連工具類１０を係止するストッパ１８を固定してある。
【００２２】
ストッパ１８と回動バネフック９の配置関係は、回動バネフック９が下死点へ下降した時にストッパ１８の左右両端に隙間を介して対向し、これにより回動バネフック９自体の横揺れが規制されるように設計してもよい。
【符号の説明】
【００２３】
１…牽引横バー
２…中骨ビーム
３…培土器（作業アタッチメント）
４…深耕機（作業アタッチメント）
５…カルチベータ
６…工具ハンガー
７…支持フレーム
７´…プレート
８…工具係着部材
９…回動バネフック
１０…関連工具類
１１…工具収容部
１２、１２ａ、１２ｂ…左右自由端
１３、１３ａ、１３ｂ…左右基端枢支部
１４…ガイド部
１５…係合部
１６…部品係着部
１７…予備部品
１８…ストッパ
【要約】
【課題】農作業機の調整箇所近辺に工具が保管され、工具の脱落及び揺れを防止できる工具類ハンガー機構を提供する。
【解決手段】農作業機本体に上下方向に延びる支支持フレームを設け、その上部横方向に工具係着部材を突設する。一連の鋼線材の左右自由端を前記工具係着部材の左右両側に回動可能に枢支し、各枢支部から下方に延び、工具係着部材に係着される工具収容部の左右両側に対向するガイド部を介してさらに上方へ延びその先端を前記工具係着部材の先端に係止される逆V字型係合部に形成したバネフックを工具類ガイド位置から上方開放位置へ回動可能に組み付ける。好ましくは、バネフックの左右自由端を前記フレーム又は工具係着部材へ回動中心位置をずらせて設けた枢支部に枢着し、さらには支持フレームのプレートに予備部品を着脱可能に係着する部品係着部を併設する。
【選択図】図５【図１】
0005545587.tif 000002
【図２】
0005545587.tif 000003
【図３】
0005545587.tif 000004
【図４】
0005545587.tif 000005
【図５】
0005545587.tif 000006
【図６】
0005545587.tif 000007
【図７】
0005545587.tif 000008